Podtech/llm-jp-corpus-v4-ja_patent huggingface dataset:
(57)【要約】      （修正有）【課題】コーヒーやココアや砂糖の粉をお湯に十分に溶かし込むことができる回転式のコップを提供する。【解決手段】大きさがほぼ等しい２つのコップを重ね、２つのコップの底面と底面の間の部分に、中心部に円柱形の物体を、その周辺部に数個のビー玉を配置することによって、親指一本で内側のコップを速い速度で、また長い時間回転させることを可能にする。【選択図】図１
0003177714.tif 000002
【実用新案登録請求の範囲】
【請求項１】
大きさがほぼ等しい２つのコップを重ね、２つのコップの底面と底面の間の部分に、中心部に円柱形の物体を、その周辺部に数個のビー玉を配置することによって、親指一本で内側のコップを速い速度で、また長い時間回転させることを可能にしたコップ。
【考案の詳細な説明】
【技術分野】
【０００１】  本考案は、大きさがほぼ等しい２つのコップを重ね、２つのコップの底面と底面の間の部分に、中心部に円柱形の物体を、その周辺部に数個のビー玉を配置することによって、親指一本で内側のコップを速い速度で、また長い時間回転させることを可能にしたコップに関するものである。
【考案の開示】
【考案が解決しようとする課題】
【０００２】  コップの中に、コーヒーの粉、ココアの粉、砂糖の粉等を入れ、お湯を入れてかき混ぜる場合、普通はスプーンが必要になる。しかし、そのつどスプーンを準備したり洗ったりするのには手間がかかる。また、使用後のスプーンをテーブルの上等に置いておくのは衛生上の問題がある。また、使い捨てスプーン等は、経済的、環境的に問題がある。スプーンを使用せずにかき混ぜることが可能になれば、便利、衛生的、経済的、環境に優しい等のメリットが生じる。
【課題を解決するための手段】
【０００３】  大きさがほぼ等しい２つのコップを重ね、２つのコップの底面と底面の間の部分に、中心部に円柱形の物体を、その周辺部に数個のビー玉を配置することによって、親指一本で内側のコップを速い速度で、また長い時間回転させることが可能になる。
【考案の効果】
【０００４】  内側のコップを速い速度で回転させることによって、コーヒーやココアや砂糖の粉をお湯の中に十分溶かし込むことができる。
【考案を実施するための最良の形態】
【０００５】  ２つのコップの間隔は、狭すぎると抵抗が大きくなり、広すぎると不安定になるため、適度なものにする。ビー玉同士の間隔も、狭すぎると抵抗が大きくなり、広すぎると不安定になるため、適度なものにする。
【図面の簡単な説明】
【０００６】
【図１】器具を横から見た図
【図２】器具を上から見た図
【符号の説明】
【０００７】１、  コップ１
２、  コップ２
３、  ビー玉
４、  円柱形の物体
【図１】
0003177714.tif 000003
【図２】
0003177714.tif 000004
(57)【要約】      （修正有）【課題】ファイルされたプリント等に書き込みをするとき、即座に書き込みができるように、ファイルの中台紙の端に透視可能な差込部分を設けた書き込み可能ファイルを提供する。【解決手段】中台紙１の端に透視可能な差込部分２を設け、その中台紙を複数枚重ねたものを表紙３に固定したファイルで、ファイルしながら簡単に書き込みができる書き込み可能ファイルであり、ファイルの中台紙の端が透視可能な差込になっているので、プリント等の端を差し込むだけでファイルされ、プリント等の端まで隠れる箇所なく見ることができ、しかも何か書き込みをしたいときには即座に書き込みが可能となり、更にリングや紐の止め具、或いはバインダーなど邪魔になるものがないので書き込みもしやすくなった。【選択図】図１
0003177800.tif 000002
【実用新案登録請求の範囲】
【請求項１】
中台紙の端に透視可能な差込部分を設け、その中台紙を複数枚重ねたものを表紙に固定したことを特徴とする書き込み可能ファイル。
【考案の詳細な説明】
【技術分野】
【０００１】
この考案は、ファイル形式の中台紙の端に透視可能な差込部分を設けたファイルに関するものである。
【背景技術】
【０００２】
従来、ファイルはプリント等を透明の袋体の中に入れる、もしくは穴を開けてリングに  通す、或いは紐に通して止め具で止める、またはバインダーに挟んでファイルしていた。
似た技術として特開２００６−３２１２１１が開示されているが、この技術だとクリアブックのポケット自体に剛性がなくファイルした時や書き込みする時に安定性が欠いていると思われる。
【先行技術文献】
【特許文献】
【０００３】
【特許文献１】特開２０６６−３２１２１１
【考案の概要】
【考案が解決しようとする課題】
【０００４】
これらには、次のような欠点があった。
従来、ファイルされたプリント等に書き込みをする際には、プリント等を透明の袋体の中から取り出してから書き込みをしなければならなかった。或いは書き込みをする際にプリント等に通してあるリングや紐の止め具、或いはバインダーなどが邪魔になることが多く、プリントに書き込みをすることに簡便性を欠いていた。
本考案は、以上のような欠点をなくすためになされたものである。
【課題を解決するための手段】
【０００５】
本考案は、以下の構成よりなる書き込み可能ファイルである。
中台紙（１）の端に透視可能な差込部分（２）を設け、その中台紙を複数枚重ねたものを表紙（３）に固定する。
【考案の効果】
【０００６】
ファイルの中台紙の端が透視可能な差込になっているので、プリント等の端を差し込むだけでファイルされ、プリント等の端まで隠れる箇所なく見ることができ、しかも何か書き込みをしたいときには即座に書き込みが可能となり、更にリングや紐の止め具、或いはバインダーなど邪魔になるものがないので書き込みもしやすくなった。
【図面の簡単な説明】
【０００７】
【図１】本考案のタイプ１の平面図である。
【図２】本考案のタイプ２の平面図である。
【考案を実施するための形態】
【０００８】
以下、本考案を実施するための形態について説明する。
中台紙（１）の端に透明の帯（２）を接着剤で貼り付け差込部分を設け、その中台紙を複数枚重ねたものを表紙（３）に固定する。
本考案は以上のような構造である。
これを使用する時は、プリント等の端を中台紙の透視可能な差込部分に差し込みファイルし、必要に応じてそのままプリント等に書き込みをする。
【産業上の利用可能性】
【０００９】
ピアノ、ギター、ウクレレ、吹奏楽、バンド、コーラス、オーケストラ等、音楽活動全般においてこの書き込みファイルを使用するとプリント等に注意事項や補足事項等を即座に書き込みをすることができる。
また、学校でのプリント学習や研究機関等での記録作業等にも非常に有用性がある。
【符号の説明】
【００１０】
１  中台紙
２  透明の帯
３  表紙
４  接着剤
５  中央位置
【図１】
0003177800.tif 000003
【図２】
0003177800.tif 000004
(57)【要約】      （修正有）【課題】展示品の四方下部を固定することにより、地震から確実に展示品を保護する展示品固定装置を提供する。【解決手段】金属板１の中央に、展示品を最良の向きに配置し、展示品７の大小に合わせて、四方から各展示品固定補助アングル２を最良位置に配置し、各展示品固定補助アングル固定ボルト３にて固定する。固定した、各展示品固定補助アングル２の立上がり部に配置された、複数の展示品固定ボルト４を大小の展示品に合わせて四方から調整して、展示品７を確実に固定した後に、展示品固定ボルトロックナット５にて展示品固定ボルト４を固定する。【選択図】図２
0003177709.tif 000002
【実用新案登録請求の範囲】
【請求項１】
展示品を配置する展示台に、金属板を配置し、
金属板の中央より四方に、展示品固定補助アングルを配置し、
展示品の最良方向と大きさに合わせて各展示品固定補助アングルを最良の位置に配置し金属板に固定する。
各展示品固定補助アングルの立ち上がり部の、複数カ所に配置した展示品固定ボルトを展示品の四方から調整して展示品の最良位置で展示品固定ボルトを固定しロックする。
金属板に固定された展示品は非常に強い地震に対して、展示品が転倒．落下による破損．損傷を防止することを特徴とする耐震用展示品固定装置。
【請求項２】
前記、展示品固定カ所が、展示品の下方を固定することで、展示品の大きさには制限がないことを特徴とする請求項１に記載の耐震用展示品固定装置。
【請求項３】
前記、展示品固定ボルトで展示品を固定するとき、展示品を傷つけないよう、展示品固定ボルト先端部に緩衝装置が配置されていることを特徴とする請求項１に記載の耐震用展示品固定装置。
【考案の詳細な説明】
【技術分野】
【０００１】  本考案は、展示品を地震等によって、転倒・落下による破損・損傷を防止して展示し続けることを目的とした、耐震用展示品固定装置に関する。
【背景技術】
【０００２】  上述したように、地震発生時展示品が展示場所から転倒したり、落下による破損．損傷を防ぐために、多くの提案がなされている。
従来の耐震装置として、免震に関する装置が提案されている（例えば特許文献１参照）【０００３】  他の耐震装置としては、地震発生と同時に、展示されている展示品が瞬時に３次元空間位置で保護する装置等がある（例えば特許文献２参照）
【先行技術文献】
【特許文献】
【０００４】
【特許文献１】  特許第３２２２０８２号公報
【特許文献２】  特許第３４５８０８９号公報
【考案の概要】
【考案が解決しようとする課題】
【０００５】  特許文献１に開示された耐震装置は、載置台が地震による揺れを減少させることはできるが、強い地震では、揺れを１００％吸収できず展示された展示品が転倒．落下による破損．損傷を防ぐことは出来ない問題がある。【０００６】  特許文献２に開示された耐震装置は、展示品の大きさに制限があった、大きな展示品を対象とした場合、耐震装置が大がかりとなり非常に高価となる問題がある。
【課題を解決するための手段】
【０００７】  本考案は、展示品を配置する展示台に、金属板を配置し、
金属板の中央より四方に、展示品固定補助アングルを配置し、
展示品の最良方向と大きさに合わせて各展示品固定補助アングルを最良の位置に配置し金属板に固定する。
各展示品固定補助アングルの立ち上がり部の、複数カ所に配置した展示品固定ボルトを展示品の四方から調整して、展示品の最良位置で展示品固定ボルトを固定ロックする。。
金属板に固定された展示品は非常に強い地震に対して、展示品が転倒・落下による破損．損傷を防止することを特徴とする耐震用展示品固定装置。
前記、展示品固定カ所が、展示品の下方を固定することで、展示品の大きさには制限がないことを特徴とする耐震用展示品固定装置である。
前記、展示品固定ボルトで展示品を固定するとき、展示品を傷つけないよう、展示品固定ボルト先端部に緩衝装置が配置されていることを特徴とする耐震用展示品固定装置である。
【考案の効果】
【０００８】  本考案は、以上に説明したように、構成されるものであるから、次に述べる効果がある。【０００９】  本考案では、展示品の下方を固定することにより、地震の強弱に関係なく、安価で確実に展示品を保護できる効果がある。【００１０】  本考案では、展示品の大小に関係なく対応でき、経済的でかつ効率的な展示品固定装置を提供できる効果。
【考案を実施するための最良の形態】
【００１１】  本考案は、今まで述べたとうり展示品を、金属板上に最良の向きになるよう自在に調整し配置後、展示品固定補助アングルを固定、次に展示品固定補助アングル立上がり部に配置された、複数の展示品固定ボルトを調整して展示品を確実に固定する事により、地震から展示品を確実に保護する。
【実施例】
【００１２】  以下、添付図面に従って一実施例を説明する。図１は、展示品固定装置本体の水平図である。図２は、展示品を固定した状態の斜視図である。【００１３】  図１で示す通り、金属板（１）の中央に、展示品を最良の向きに配置し、展示品（７）の大小に合わせて、四方から各展示品固定補助アングル（２）を最良位置に配置し、各展示品固定補助アングル固定ボルト（３）にて固定する。【００１４】  最良位置に固定した、各展示品固定補助アングル（２）の立上がり部に配置された、複数の展示品固定ボルト（４）を大小の展示品に合わせて四方から調整して、展示品（７）を確実に固定した後に、展示品固定ボルトロックナット（５）にて展示品固定ボルト（４）を固定することにより、展示品（７）を地震から安全で確実に保護できる。
【図面の簡単な説明】
【００１５】
【図１】  本考案の、展示品固定装置本体の水平図である。
【図２】  本考案の、展示品を固定した状態の斜視図である。
【符号の説明】
【００１６】  １    金属板
２    展示品固定補助アングル
３    展示品固定補助アングル固定ボルト
４    展示品固定ボルト
５    展示品固定ボルトロックナット
６    緩衝装置
７    展示品
【図１】
0003177709.tif 000003
【図２】
0003177709.tif 000004
(57)【要約】【課題】  吊り下げ状態における占有空間を小さくできる、吊り下げ式包装袋集合体を提供する。【解決手段】  多数重ね合わせた包装袋２を口部３を上にして縦線Ｘに沿って半分に折り、該包装袋２の折り重なった口部３近傍に貫通孔４を設けてこの貫通孔４に吊り紐５を通したものである。好ましくはさらに、半分に折られた前記包装袋２を外袋６に収容し、この外袋６において、前記包装袋２の折り目部の下端に対応する隅部７を開口可能に構成する。【選択図】    図１
0003177702.tif 000002
【実用新案登録請求の範囲】
【請求項１】
多数重ね合わせた包装袋を口部を上にして縦線に沿って半分に折り、該包装袋の折り重なった口部近傍に貫通孔を設けてこの貫通孔に吊り紐を通してある、吊り下げ式包装袋集合体。
【請求項２】
半分に折られた前記包装袋が外袋に収容され、この外袋において、前記包装袋の折り返し部の下端に対応する隅部が開口可能に構成されている、請求項１に記載の吊り下げ式包装袋集合体。
【考案の詳細な説明】
【技術分野】
【０００１】
本考案は、吊り下げ式の包装袋集合体に関する。
【背景技術】
【０００２】
スーパー等の生鮮食品売場には、お客が野菜や魚等の食品を入れるための包装袋集合体が吊り下げて準備されている。また、家庭用としても、キッチンの壁や冷蔵庫の外面等に吊り下げて使用するものとして、同種の吊り下げ式包装袋集合体が提供されている。
【０００３】
従来のこの種の包装袋集合体は、多数重ね合わせた包装袋の口部側の一端に孔を開け、この孔に紐を通したものである。そして、各包装袋は広げたままで重ね合わされているので、吊り下げ状態で大きな空間を占め、邪魔になる場合もあった。
【考案の概要】
【考案が解決しようとする課題】
【０００４】
本考案は、前記のような事情に鑑みてなされたもので、吊り下げ状態における占有空間を小さくできる、吊り下げ式包装袋集合体を提供しようとするものである。
【課題を解決するための手段】
【０００５】
前記課題を解決するため、本考案に係る吊り下げ式包装袋集合体は、多数重ね合わせた包装袋を口部を上にして縦線に沿って半分に折り、該包装袋の折り重なった口部近傍に貫通孔を設けてこの貫通孔に吊り紐を通したものである（請求項１）。
【０００６】
本考案によれば、前記吊り紐で前記包装袋集合体を吊り下げた状態において、包装袋が縦線に沿って半分に折畳まれているので、折畳まずに吊り下げる従来のものに比べて、吊り下げ状態における占有空間が小さくなる。このため、吊り下げ状態で邪魔になりにくい。前記包装袋は、外側のものから順に一枚ずつ下方へ引張ることで、前記吊り紐によって綴じ部が破られて、使用に供することができる。
【０００７】
好適な実施の一形態として、半分に折られた前記包装袋が外袋に収容され、この外袋において、前記包装袋の折り目部の下端に対応する隅部が開口可能に構成されたものである（請求項２）。この場合、前記外袋で前記包装袋が覆われているので、多数の包装袋の、半分に折られた状態での一体性が確実に保たれる。前記外袋の前記隅部を開口させると、前記包装袋の折り目部の下端が露出するので、この下端を指でつまんで包装袋を一枚ずつ引き出すことができる。
【図面の簡単な説明】
【０００８】
【図１】本考案の実施の一形態に係る吊り下げ式包装袋集合体の全体斜視図である。
【考案を実施するための形態】
【０００９】
以下、添付図面を参照して、本考案の実施の一形態について説明する。
【００１０】
図１に示すように、本考案の実施の一形態に係る吊り下げ式包装袋集合体１は、多数重ね合わせた包装袋２を備える。これらの包装袋２は、典型的にはポリ袋であり、重ね合わされた状態で口部３を上にして縦線Ｘに沿って半分に折られている。包装袋の重ね合わせの枚数は、数１０枚でも１００枚でも、それ以上でもよい。前記包装袋２の折り重なった口部３近傍に貫通孔４を設けて、この貫通孔４に吊り紐５が設けられる。前記包装袋２は、外側のものから順に一枚ずつ下方へ引張ることで、前記吊り紐５によって綴じ部が破られて分離させることができ、使用に供することができる。
【００１１】
前記貫通孔４は、包装袋２を一枚取り出して広げたときに、袋の機能の妨げになりにくい位置に設けることが好ましい。例えば、図１に示すように、折り重なった口部３近傍において、前記包装袋２の折り目部から遠くの端部に形成するとよい。このようにすれば、包装袋２を一枚取り出して広げたときに、口部の両端に破れた貫通孔４が位置することになり、袋の機能の妨げになりにくいからである。
【００１２】
本実施の形態によれば、前記吊り紐５で前記包装袋集合体１を吊り下げた状態において、包装袋２が縦線Ｘに沿って半分に折畳まれているので、折畳まずに吊り下げる従来のものに比べて、吊り下げ状態における占有空間が小さくなる。このため、吊り下げ状態で邪魔になりにくい。
【００１３】
好ましい態様として、図１に仮想線で示すように、半分に折られた多数の前記包装袋２が外袋６に収容され、この外袋６において、前記包装袋２の折り目部の下端に対応する隅部７を開口可能に構成することもできる。具体的には、例えば、前記隅部７に、ミシン目８等の容易に切除可能な切り目を設ける。この場合、前記外袋６で前記包装袋２が覆われているので、前記包装袋２が保護され且つ清潔に保たれ、さらに、多数の包装袋２の、半分に折られた状態での一体性が確実に保たれる。前記外袋６の前記隅部７をミシン目８等の部分で切って開口させると、前記包装袋２の折り目部の下端が露出する。そこで、この下端を指でつまんで包装袋２を一枚ずつ引き出すことができる。
【符号の説明】
【００１４】
２    包装袋
３    口部
４    貫通孔
５    吊り紐
６    外袋
７    下隅部
Ｘ    縦線
【図１】
0003177702.tif 000003
(57)【要約】      （修正有）【課題】手袋の内側に手の平及び手の甲の指圧ツボが当たる部分に複数のゴムイボを設けた指圧手袋を提供する。【解決手段】手袋内側の素材に手の平及び手の甲の指圧ツボが当たる部分にゴムイボを複数設ける。これにより、物を握る作業によってゴムイボが指圧ツボに刺激を与え又、体の不自由な高年者には手袋を着用するだけで、手袋の網の装着圧力及び手の動きによってツボにゴムイボが直接触れることにより、血行を促進して内臓器官に活性を促し新陳代謝を高める。【選択図】図１
0003177703.tif 000002
【実用新案登録請求の範囲】
【請求項１】
手袋の内側に手の指圧ツボが当たる部分に複数のゴムイボを設けた指圧手袋。
【考案の詳細な説明】
【技術分野】
【０００１】本考案は、手袋の内側に複数のゴムイボ状の突起物を設けた指圧手袋に関する物である
【背景技術】
【０００２】手袋の内側に手の平及び手の甲の指圧ツボが当たる部分にゴムイボを設けた指圧手袋があった
【先行技術文献】
【０００３】
【特許文献】
【特許文献】実用新案公開  平２４年４月４日  登録３１７５１５９号
【考案の概要】
【考案が解決しようとする課題】
【０００４】手袋の内側に手の平及び手の甲の指圧ツボに当たる部分にゴムイボを設けて指圧する指圧手袋を提供する。又図面を参照によれば指圧ツボ１ヵ所に手袋内のゴムイボの突起物は１ヵ所の為手袋の大小、又指の長さは個人差がある為指圧ツボが１ヵ所では的中するとはかぎらない。本考案は複数からなるゴムイボを設けて少し外れても複数に設けたゴムイボがツボを刺激をする
【課題を解決するための手段】
【０００５】手袋の内側に手の平及び手の甲の指圧ツボに当たる部分にゴムイボを複数設けた指圧手袋を提供することを目的とする。
【考案の効果】
【０００６】手袋の内側に手の平及び手の甲の指圧ツボに当たる部分にゴムイボを複数設け物を握る作業によってゴムイボが指圧ツボに刺激を与え又、体の不自由な高年者には手袋を着用するだけで手袋の網の装着圧力及び手の動きによって十分にツボにゴムイボが直接触れるので、十分に血行が促進され内臓器官に活性を促し新陳代謝を高めることができる。
【図面の簡単な説明】
【０００７】
【図１】右手の甲の表面にある各指圧ツボの位置を示した図である
【図２】右手の平の表面にある各指圧ツボの位置を示した図である
【図３】本考案の手袋内側に設けた手の平の各指圧ツボゴムを複数表した手袋内部の展開図である
【図４】本考案の手袋内側に設けた手の甲の各指圧ツボゴムを複数表した手袋内部の展開図である
【図５】手袋素材の断面図に熱着して設けたゴムイボの断面図である。
【本考案を実施するための形態】
【０００８】手袋内側の素材に手の平及び手の甲の指圧ツボが当たる部分にゴムイボを複数設けた手袋。
【実施例】
【０００９】以下本考案の実施例について説明する。
手袋の内側に複数のゴムイボを設けた指圧手袋を装着して従来通りの手作業を行う。
【産業上の利用可能性】
【００１０】本考案の手袋を使用して手作業を行えば手袋の大小、人の手の大小にかかわらず複数のゴムイボが指圧ツボに刺激を与え、又体の不自由な高齢者には手袋を着用するだけで十分に手のツボをゴムイボが触れ十分に血行が促進される。又靴下にも応用が可能であり産業医、医療用具になりうる物である。
【符号の説明】
【００１１】１右手の甲の各指圧ツボの位置
２右手の平の各指圧ツボの位置
３右手袋の下内側に設けた右手の平の各複数指圧ゴムイボ
４右手袋の上内側に設けた右手の甲の各複数指圧ゴムイボ
５手袋素材
５’手袋素材の断面図
３’手袋素材に設けた複数突起ゴムイボの断面図
【図１】
0003177703.tif 000003
【図２】
0003177703.tif 000004
【図３】
0003177703.tif 000005
【図４】
0003177703.tif 000006
【図５】
0003177703.tif 000007
(57)【要約】      （修正有）【課題】住宅の壁面部に取り付けられる空気拡散器に対して接離可能に取り付けられて、強風等により室内に過大な空気流が流通するのを阻止するための、遮蔽部材を提供する。【解決手段】住宅の壁面部５に取り付けた空気拡散器４の開口部６に接離可能な環状磁性体２と、この環状磁性体２に接着されて開口部６を全面的に被覆する可とう性シート３とからなる。【選択図】図４
0003173732.tif 000002
【実用新案登録請求の範囲】
【請求項１】
空気拡散器の開口部に磁気的に接離すべき環状磁体と、この環状磁性体に結合されていて前記開口部を全面的に被覆する可とう性シートとからなる空気拡散器への遮蔽部材。
【請求項２】
前記環状磁性体を二等分に分割できるように構成した請求項1に記載の空気拡散器への遮蔽部材。
【請求項３】
前記環状磁性体がゴム製磁石からなる請求項1又は2のいずれかに記載の空気拡散器への遮蔽部材。
【請求項４】
前記反射可とう性シートが透明又は半透明の合成樹脂製である請求項1に記載の空気拡散器への遮蔽部材。
【考案の詳細な説明】
【技術分野】
【０００１】
本考案は、住宅の壁面部に取り付けられる空気拡散器に対して接離可能に取り付けられて、強風等により室内に過大な空気が流通するのを阻止するための遮蔽部材に関する。
【背景技術】
【０００２】
住宅の壁面部に取り付けられる空気拡散器は外気を取り込む機能を有するものであるが、場合によっては必要以上の空気が流入して不都合が生ずることがあった。
【特許文献１】存在せず
【考案の開示】
【考案が解決しようとする課題】
【０００３】
空気拡散器の開口部への空気の流通を阻止して、不必要な空気の流入をなくすことができるようにするにある。
【課題を解決するための手段】
【０００４】
本考案の請求項1に記載の空気拡散器の遮蔽部材によれば、空気拡散器の開口部に磁気的に接離すべき環状磁性体と、この環状磁性体に結合されていて前記開口部を全面的に被覆する可とう性シートとからなる遮蔽部材を提供し、この遮蔽部材は必要に応じて前記空気拡散器に簡単に取り付けまた取り外しか可能であるようにしたものである。
【０００５】
本考案の請求項2に記載の空気拡散器の遮蔽部材によれば、請求項1における環状磁性体を二等分に分割できるよう構成し、不使用時にこの遮蔽部材を折りたたみ可能にすることによって保管を容易にするものである。
【０００６】
本考案の請求項3に記載の空気拡散器の遮蔽部材によれば、請求項1又は2のいずれかに記載の環状磁性体がゴム質の磁石からなるもので、環状磁性体の空気拡散器への接触が円滑に行えるようにするものである。
【０００７】
本考案の請求項4に記載の空気拡散器の遮蔽部材では、前記可とう性シートが透明又は半透明の合成樹脂製であって湿度に強くかつ強靭である。
【考案の効果】
【０００８】
本考案に係る遮蔽部材によれば、住宅の壁面に取り付けられる空気拡散器に対して、必要に応じて室内に流入する空気が過剰になることをなくし、室内空気を安定な状態に保持することを可能とするものである
【考案を実施するための最良の形態】
【０００９】
空気拡散器への遮蔽部材は、この空気拡散器の開口部を全面的に遮蔽できる可とう性シートに結合される環状磁性体が前記空気拡散器に接離可能に接触することで室内への空気の遮断を行うものである。
【実施例】
【００１０】
さて、本考案の空気拡散器への遮蔽部材の構造について、図1乃至図４によって詳細に説明する。
先ず、図1は本考案の遮蔽部材の平面図で、図2は図1のII―II線に沿う断面図、図3は遮蔽部材の他の実施例の平面図で、図4は使用状態の斜視図である。
【００１１】
図1及び図2において、遮蔽部材1はゴム質の環状磁性体2と、この環状磁性体2に接着される可とう性シート3とからなる。この場合、可とう性シート3は透明又は半透明の合成樹脂とするのを適当とする。
【００１２】
図1及び図2で、環状磁性体2は円形の外形を有するが、これは後述する図4に示す空気拡散器４の外形に合わせるためのものであって、環状磁性体2は相対する住宅の壁面部5に装着される空気拡散器4の形状に合わせて選定するものであって、空気拡散器4が方形の外形を有するものである場合にはこれに合わせて方形に構成するものとする。
【００１３】
図4の磁石を吸着可能な材質からなる空気拡散器4の開口部6に対して環状磁性体2を矢印Fのように接離可能に接着することによって、この環状磁性体2に対して結合されている可とう性シート3は前記開口部6に完全に遮蔽する。
【００１４】
上述の次第であるから、室内へ流入する空気の流れが過大であるような場合には、本考案の遮蔽部材1の環状磁性体2を空気拡散器4の開口部6に接着させることで、可とう性シート3により空気の流入を遮断することができるものである。
【００１５】
図3に示したものは、環状磁性体2の実施例を示すものであって、この環状磁性体2を、半体2a及び半体2bのように二分割したものであって、折り畳みにより不使用時の取り扱いを容易にすることができるようにしたものである。
【図面の簡単な説明】
【００１６】
【図１】本考案の遮蔽部材の平面図である。
【図２】図1のII―II線に沿う断面図ある。
【図３】遮蔽部材の他の実施例を示す平面図である。
【図４】本考案の遮蔽部材を空気拡散器に適用した状態の斜視図である。
【符号の説明】
【００１７】
１    遮蔽部材
２    環状磁性体
３    可とう性シート
４    空気拡散器
５    壁面部
６    開口部
【図１】
0003173732.tif 000003
【図２】
0003173732.tif 000004
【図３】
0003173732.tif 000005
【図４】
0003173732.tif 000006
(57)【要約】      （修正有）【課題】大型ロール製品を２段積み輸送することができるロール製品輸送箱を提供する。【解決手段】ダンボールを何枚も貼り合わせて積層ボード状にした２枚の胴板１と、同じく積層ボード状の２枚の側板２と、同じく積層ボード状の複数の仕切り板４と対向する２枚の銅板を連結するダンボール製のハンモック板３からなる。【選択図】図１
0003173798.tif 000002
【実用新案登録請求の範囲】
【請求項１】
ダンボールを何枚も貼り合わせて積層ボード状にした２枚の胴板と、同じく積層ボード状の側板２枚と、同じく積層ボード状の仕切り板複数個と前記２枚の銅板を連結するハンモック板からなることを特徴とするダンボール製ロール製品輸送箱。
【請求項２】
前記２枚の胴板と２枚の側板で組み立てられた四角形の箱において対向する２枚の胴板の間を湾曲したダンボール製のハンモック板で連結していることを特徴とするロール製品輸送箱。
【請求項３】
前記胴板と側板で四角形に組み立てられた箱の胴板下部に差し込み式の仕切り板が複数個取りつけられていて、且つ胴板と仕切板の下面にフォークリフト差し込み口が設けられていることを特徴とするロール製品輸送箱。
【考案の詳細な説明】
【技術分野】
【０００１】本考案はダンボール製の梱包輸送箱の分野に属する
【背景技術】
【０００２】従来からフィルムや巻紙等でロール状に巻かれた大型の製品は重量も大きいため、木製パレットや、鉄製のラックに納めて輸送する方法が一般的である。
【考案の開示】
【考案が解決しようとする課題】
【０００３】大型のロール状製品は、そのほとんどが５００ｋｇを越えるものが多く、これを輸送する場合、その梱包については、製品の保護、耐荷重、取り扱いの容易性、及び経済性等の課題を充分に考慮して作る必要がある。
【課題を解決するための手段】
【０００４】先ずこれらの課題に対処する手段として、製品の保護については、製品全体を吊るすハンモック構造を採用する。耐荷重については強化ダンボール複数枚貼り合わせた積層ボード状の胴板と側板で箱を組み、大幅に強度アップする。取り扱いの容易性については箱の側面にロールの収納と取り出しの為の開口部を設けるとともに、胴板の下面に直接フォークリフト用差し込み口をつけ、パレット構造とした。そして、オールダンボール製で経済性も充分考慮した輸送箱である。
【考案の効果】
【０００５】このダンボール梱包の実現によって、従来木製パレットで平積み輸送していたものが、２段積み輸送できるようになり、大幅に輸送コストを節減する効果と共に、オールダンボール製であるため、リサイクルが容易で、環境に優しく経済的にも大きな効果が期待できる。
【考案を実施するための最良の形態】
【０００６】箱を構成する４面は、すべて強化ダンボールを複数枚貼り合わせた積層ボードで作り、箱の角部は胴板と側板の端面に凹凸切り込みををつけ、互いの切り込みが組み合わさる升箱組みによってしっかりと固定する。
箱の対向する２枚の胴板の間にロールを載せるための湾曲したダンボールのハンモック板を貼り合わせ、その上にロールを吊った状態で載せるようにする。また、箱の胴板の下部に補強のために差し込み式の仕切り板を数個取りつける。
【実施例１】
【０００７】使用するダンボールシートは複両面ダンボールのＫ７Ｗ若しくは複両面強化芯ダンボールのＫ６Ｗを使用する。
【実施例２】
【０００８】箱の胴板１と側板２は前記強化ダンボール４枚から６枚を貼り合わせた積層ダンボールを使用する。
【実施例３】
【０００９】箱の４か所のコーナー部６は、胴板１と側板２端面に凹凸の切り込み６Ａをつけ、胴板１と側板２が強固に組み合う升箱組で組み合わせる。
【実施例４】
【００１０】箱の対向する２面の胴板１には、ロールを載せるためのハンモック板３を貼りつける。ハンモック板３は、ロールが乗った時にロールの曲面に合わせて湾曲するように多数の罫線をつけて曲がりやすくしておく。
【実施例５】
【００１１】箱の胴板１の下部には箱を補強するために胴板同士を連結する差し込み式の仕切り板４を数個井桁状に取りつける。
【実施例６】
【００１２】仕切り板４は強化ダンボールを１０枚から１３枚貼り合わせ、積層して作る。仕切り板の上面には、ハンモック板３の底面が触れないように、半円形４Ｂにカットする。また、胴板１と井桁組みするための切り込み４Ａをつける。
【実施例７】
【００１３】側板２の上面には箱にロールを出し入れするための開口部２Ａを設ける
【実施例８】
【００１４】胴板１の下面と仕切り板４の下面にはフォークリフトで直接箱を持ち上げることができるようにフォーク穴５を設ける。
【実施例９】
【００１５】箱の上面には胴板と一体化したフタ７を附設することができる。
【図面の簡単な説明】
【００１６】
【図１】輸送箱全体の斜視図である
【図２】輸送箱を上から見た図である
【図３】輸送箱の側面の断面図である
【図４】箱のコーナー部分の分解図である
【図５】仕切り板正面から見た図である
【符号の説明】
【００１７】１      胴板
２      側板
２Ａ    取り出し口
３      ハンモック板
４      仕切り板
４Ａ    井桁組みカット
４Ｂ    半円形カット
５      フォークリフト差し込み口
６      コーナー部
７      フタ
【図１】
0003173798.tif 000003
【図２】
0003173798.tif 000004
【図３】
0003173798.tif 000005
【図４】
0003173798.tif 000006
【図５】
0003173798.tif 000007
(57)【要約】      （修正有）【課題】特設の屋内配線を要せず高周波音を発することで、毒餌の危険を見抜き喫食せず、捕獲用粘着シートを暗闇でも察知して捕まらないスーパーラットを駆除するネズミ撃退用電源内蔵型高周波発信機を提供する。【解決手段】ネズミが忌避する高周波を発信するスピーカー１を有する高周波発信機の筺体内部に電池ボックスを設置し、外部からの電源の設置及び繋ぐ電設工事を不要とする。作動状況の確認の為、高周波を可聴域に変更するブザーとパワーインジケーター赤色発光ＬＥＤ電球２を備え、誰でも作動状況を安易に確認可能とする。【選択図】図１
0003173796.tif 000002
【実用新案登録請求の範囲】
【請求項１】
ネズミが忌避する高周波を発信するスピーカーと周波数を不定期に変化させる電子回路を備え、且つ人の可聴域である１９キロヘルツ以下の周波数の発信を防止することで機器使用時の周辺にいる人に対して影響を与えずにネズミを忌避する装置を電池ボックスから作動用の電源を供給することで外部電源を不要にする。この結果、一般家屋や飲食店舗にてネズミが主に営巣場所として使用する天井裏への設置を容易とし、高い効果を上げるネズミ撃退用電源内蔵型高周波発信機。
【考案の詳細な説明】
【技術分野】
【０００１】    本考案は、人の可聴域以上の高周波を、内蔵した電池ボックスからの電源により、発信しネズミを忌避する機器である。
【背景技術】
【０００２】    従来からネズミには高周波（超音波も高周波の一種、従来の超音波防鼠機と一線を画す為、当機を高周波発信機と呼ぶ）を聞き分ける能力があるとされ、この特性を利用した機器が発売されている。しかし、高周波には周波数とともに出力の大小がある。音波で言えば６０デシベルは通常市街地の平均的な騒音数であり。１２０デシベルでジェット機の排気音、電車の高架橋下通過時は１００デシベル程になる。つまり、高周波を発信すればネズミが忌避するかと言えば、必ずしもそうではなく、在る程度の出力が必要になる。また、高周波を発信すれば建物全体からネズミが居なくなるものでもない。これらの運用面を正しく実施することも大切になる。
【考案の概要】
【考案が解決しようとする課題】
【０００３】    従来発売されている超音波防鼠機は通常の電源（コンセント）を使用するので、ネズミが主に生息する天井裏に設置するには不向きである。天井裏に設置するには専門の電気工事士に依頼して電設工事を実施し電源を確保する必要があった。また、電源からコードを渡して機器を継続し電気を供給する工事も必要な為、費用がかかる。一時的な設置でネズミを撃退し、その後は侵入経路の封鎖や捕獲用粘着シートの設置によって再侵入を防止出来れば、超音波防鼠機はいらなくなる。つまり、一時的に撃退する必要の為、高額の電気設備設置費用が必要になり、実際の導入には都合が悪かった。また、広告宣伝等にて効果を期待して購入しても天井裏への設置が困難な機器では、十分な効果が得られなかった。
【課題を解決するための手段】
【０００４】  そこで、本考案は、以上の課題を解決すべく、発信機の筺体内部に電池ボックスを内蔵して、外部電源を不要とした。また、電池の電力には限りがあるので、長時間稼働するように発信時間を常時から定期的な間欠発信とする事で電池の寿命を持つようにし、且つ十分な効果が上がるように出力を１００デシベル以上にして電子回路を設計した。また、発信用スピーカーも従来よく見られる紙製の物では、数か月で十分な出力、高周波を確保出来なくなるので、これをプラスチック製にする事で、十分な性能を確保した。
【考案の効果】
【０００５】本考案により容易に天井裏に設置が可能に成った事で、ネズミは営巣場所の天井裏にて睡眠が取れなくなり、結果その場所から逃げ出す。この事により、従来殺鼠剤による駆除は死骸が発生し易く、発生すると腐敗臭、ウジムシ、ダニ等の発生による二次災害が起こる。また、捕獲用粘着シートも同様で、回収するのも困難である。また、近年は殺鼠剤の危険性を見抜き、暗闇でも捕獲用粘着シートの危険性を学習して捕まらないスーパーラットが増殖し、専門業者でさえ手に負えず、ネズミ被害拡大の原因に成っている。これらの対策に極めて有効な手段と成り、電設工事の手間費用を無くし、簡単に設置することでネズミ対策が可能に成った。これに侵入経路の封鎖を専門家に依頼して実施すれば長期に渡ってネズミの発生を完全に終息出来る。
【図面の簡単な説明】
【０００６】
【図１】本考案の概略斜視図である。
【図２】本考案の３面図である。
【図３】本考案の内部構造図である。
【考案を実施するための形態】
【０００７】    以下に、本考案に係るネズミ撃退用電源内蔵型高周波発信機の実施例を図１及び図２に基づいて説明する。一般の戸建て住居の押し入れ天井板は点検用に開放可能に作り付けられている。危険防止の為に脚立等を利用して天井板を開放し本考案の３のスイッチを操作して電気を通電する。正確に高周波が発生しているかを６の可聴域変更ブザーを押す。回路上このブザーを押すと高周波を人間の可聴域の１９キロヘルツ未満に変更するので、耳で確認する事が出来る。ブザーを離すと高周波は再び人間の可聴域の１９キロヘルツ以上と成り不快な高周波音は聞えなくなる。また、作動は２のパワーインジケーター用の赤色発光ＬＥＤ電球の点灯にても確認できる。天井裏に設置した本考案の機械を天井裏から下ろすことなく作動が確認出来る。
【０００８】    本考案の機械の高周波が及ぶ範囲は概ね発信部１から前方に５メーター左右に３メーターの二等辺三角形をさかさまにした形状である。しかし、閉鎖空間の天井裏では屋根や壁からの反響もあり、概ね２０平米（約６坪）程の範囲に於いて効果を発揮する。天井裏がさらに広い場合は設置台数を増やす必要がある。また、天井裏に梁や仕切り壁等があって高周波が到達しづらい場合はそれぞれの区画されたエリアに設置する必要がある。押し入れ上部の開口部が無い場合は点検口の設置が必要になる。戸建て住居が２階３階の際は各階の天井裏に相当数の設置が有効に成る。
【符号の説明】
【０００９】１  高周波発信用スピーカー
２  パワーインジケーター用赤色発光ＬＥＤ電球
３  電源スイッチ
４  電池交換時筺体裏面取り外し用ネジ
５  裏面カバー脱着後の筺体
６  可聴域変更ブザー
７  電子回路
８  電池ボックス
９  単一乾電池
【図１】
0003173796.tif 000003
【図２】
0003173796.tif 000004
【図３】
0003173796.tif 000005
(57)【要約】      （修正有）【課題】軽いものを吊り下げることを可能とする画鋲を提供する。【解決手段】画鋲の上部に、基部から立ち上がった１方向の凸部を設け、その凸部に横方向に孔を穿ち、下部の中心に鋲を設ける。【選択図】図１
0003173795.tif 000002
【実用新案登録請求の範囲】
【請求項１】
画鋲の上部に基部から立ち上がった１方向の凸部を設け、その凸部に横方向の孔を穿ち、紐等を通すことが可能であり、下部に鋲を設けた画鋲。
【考案の詳細な説明】
【技術分野】
【０００１】  本考案は簡単な物を吊るせる画鋲に関する。
【背景技術】
【０００２】  画鋲は簡単な構造の為、余り工夫されず、ただ紙を留めるだけのものが多かった。
【考案の概要】
【考案が解決しようとする課題】
【０００３】  画鋲に孔を穿ち、そこに物を吊る紐を通すことにより簡単に軽い物を吊るせるようにする。
【課題を解決するための手段】
【０００４】  本考案は画鋲の上部に基部から立ち上がった１方向の凸部を設け。その凸部に横方向の孔を穿ち、その孔に紐等を通すことが可能であり、下部に鋲を設けた画鋲である。
【考案の効果】
【０００５】  簡単な軽い物を吊るすことができ大変便利である。日常生活に大変有用である。
【図面の簡単な説明】
【０００６】
【図１】  画鋲の側面図である。
【図２】  平面図である。
【図３】  断面図である。
【図４】  実施の状態を示す側面図である。
【考案の実施するための形態】
【０００７】  画鋲に手で摘むための１方向の凸部を設け、その凸部に横方向の孔を設ける。その孔に紐を通して物を吊るす。
【実施例】
【０００８】  画鋲１の上部に１方向の凸部２を設ける。その凸部２に横方向に丸孔３を穿つ。凸部は基部４から立ち上がっている。そして中心の下部の部分に鋲５を設ける。
図４で示すように、その丸孔に紐等を通す。それにより物を吊り下げる。
Ａは壁を示し、Ｂは吊るす物を示し、Ｃは紐を示す。
【符号の説明】
【０００９】１．画鋲
２．凸部
３．丸孔
４．基部
５．鋲
Ａ．壁
Ｂ．吊り下げられる物
Ｃ．紐等
【図１】
0003173795.tif 000003
【図２】
0003173795.tif 000004
【図３】
0003173795.tif 000005
【図４】
0003173795.tif 000006
(57)【要約】【課題】多種多様な形状をした携帯型通信機器や携帯ゲーム機等の内部バッテリーを、色々な場面において操作性や携帯性を損なわず充電出来るように、外部バッテリーと携帯型通信機器や携帯ゲーム機等を、容易に貼り付け固定させる事が出来、また何度も貼り直しが可能であることを特徴とする粘着ジェルシートが付属する、外部バッテリーを提供する。【解決手段】携帯型通信機器（４）や携帯ゲーム機等に、粘着ジェルシート（２）を貼り付け、その上から外部バッテリー（１）を貼り付け固定し一体化する、一体化した携帯型通信機器（４）や携帯ゲーム機等と外部バッテリー（１）を、充電ケーブル（３）で接続し、携帯型通信機器（４）や携帯ゲーム機等の内部バッテリーを充電することが出来る、粘着ジェルシートが付属した外部バッテリーを特徴とする。【選択図】図３
0003173783.tif 000002
【実用新案登録請求の範囲】
【請求項１】
携帯型通信機器（４）やゲーム機等の内部バッテリーを充電する事の出来る、外部バッテリー（１）と、粘着ジェルシート（２）と、充電ケーブル（３）によって構成され、携帯型通信機器（４）やゲーム機等と外部バッテリー（１）を粘着ジェルシート（２）によって貼り付け、充電ケーブル（３）で接続することで、手で持ち上げたり動かしたりしても、外部バッテリー（１）が携帯型通信機器（４）やゲーム機等から離れることなく、一体化した状態を保ったまま充電を継続する事が可能になることを特徴とした外部バッテリー。
【請求項２】
何度も貼り直しが可能な、粘着ジェルシート（２）を採用することにより、外部バッテリー（１）を、携帯型通信機器（４）やゲーム機等に、何度も貼り付けたり、外したりすることが、容易に可能になることを特徴とした外部バッテリー。
【考案の詳細な説明】
【技術分野】
【０００１】本考案は、多種多様な形状をした携帯型通信機器や携帯ゲーム機等の内部バッテリーを、色々な場面において操作性や携帯性を損なわずに充電することが出来るよう、外部バッテリーを、容易かつ簡単に、携帯型通信機器や携帯ゲーム機等に固定や取り外しが出来るよう、構成したものである。
【背景技術】
【０００２】従来、携帯型通信機器や携帯ゲーム機等の内部バッテリーを、電車の中や歩行中などに、手で持ち操作しながら外部バッテリーで充電する場合、外部バッテリーをポケットの中やカバンの中に入れ、そこから充電ケーブルを伸ばして充電する必要があった。
【考案が解決しようとする問題】
【０００３】考案の技術で述べた方法で充電する場合、ポケットの中やカバンの中から長く伸びた充電ケーブルが見た目にも悪く、またケーブルの長さが足りない場合、機器を操作する際の妨げになったり、不意に何かに引っかかることで充電ケーブルが抜けてしまうなど、操作性や携帯性を損なう場合があるという問題があった。
【０００４】上記の問題を解決する方法の一つとして、外部バッテリーをケース型など、充電する機器の形状に合わせ、直接固定出来る形に外部バッテリーを作る事で、充電ケーブルを長く伸ばす事無く、内部バッテリーを充電する事が出来るようにする方法があるが、充電する機器毎の形や大きさにあわせ、外部バッテリーをそれぞれ作らなければならないため、新たな機器が発売される度に、それらの形に合わせた外部バッテリーを新たに製造するのは、コストがかかりすぎるという問題がある。
【０００５】また、両面粘着テープを使って、充電する機器と外部バッテリーを貼り付け一体化すれば、低コストで機種を選ばず簡単に固定が出来、充電ケーブルを長く伸ばすことなく接続し内部バッテリーを充電することが可能になるが、両面粘着テープを使用し貼り付けた場合、充電を行わない場合でも外部バッテリーを容易に外すことが出来なくなり、また、外した場合でも両面粘着テープの貼りあとが残ってしまう、機器の表面を傷めてしまうという問題が新たに発生してしまう。
【問題を解決するための手段】
【０００６】携帯型通信機器（４）や携帯ゲーム機等に、粘着ジェルシート（２）を貼り付け、その上から外部バッテリー（１）を貼り付ける。
携帯型通信機器（４）や携帯ゲーム機等と外部バッテリー（１）を、充電ケーブル（３）で接続し、携帯型通信機器（４）や携帯ゲーム機等の内部バッテリーを充電する。
本考案は、以上の構成よりなる、粘着ジェルシート付外部バッテリーである。
【考案の効果】
【０００７】粘着ジェルシートを使い、携帯型通信機器や携帯ゲーム機等と外部バッテリーを貼り付けることで、機種の形状を選ぶことなく容易に固定し一体化する事が可能で、また一体化することで、充電ケーブルの長さを短くすることが出来るため、手に持った状態でも機器の操作性や携帯性を損なうことなく、内部バッテリーを充電する事が可能になった。
【０００８】粘着ジェルシートは、貼り付けたり剥がしたりという行為が容易であり、何度も貼り直しが可能で、貼り付けた場所の表面を傷めることが無いという特徴を持っているため、外部バッテリーを使用しない場合は外しておき、使用する場合に、再度機器に貼り付け充電するという使い方が可能である。
【考案を実施するための形態】
【０００９】考案の実施の形態を図面を参照して説明する。
図１に示されているよう、充電対象である携帯型通信機器（４）に、粘着ジェルシート（２）を貼り付け、その上から外部バッテリー（１）を貼り付ける事により、携帯型通信機器（４）と外部バッテリー（１）が固定され一体化する。
次に、図２のように、一体化した携帯型通信機器（４）と外部バッテリー（１）を、充電ケーブル（３）で接続することで、図３の形態になり、携帯型通信機器（４）の内部バッテリーを充電する事が出来るようになる。
【図面の簡単な説明】
【００１０】
【図１】  携帯型通信機器（４）に、粘着ジェルシート（２）と外部バッテリー（１）を貼り付ける方法を示す斜視図である。
【図２】  携帯型通信機器（４）と外部バッテリー（１）を固定化したものに、充電ケーブル（３）を接続する方法を示す斜視図である。
【図３】  本考案の粘着ジェルシート付外部バッテリーの実施例の使用方法を説明するための斜視図である。
【符号の説明】
【００１１】１        外部バッテリー
２        粘着ジェルシート
３        充電ケーブル
４        携帯型通信機器
【図１】
0003173783.tif 000003
【図２】
0003173783.tif 000004
【図３】
0003173783.tif 000005
(57)【要約】      （修正有）【課題】ワイヤレス充電器を用いる事の出来る省電力タイプの移動式照明装置を提供する。【解決手段】傘のカバー部分の周囲にＬＥＤを配置することで、離れた場所からでも見やすい状態にできた。電源部分を手元に完全密閉し、漏電を防止した。付属する充電器にコードレスで接続し、電磁誘導を用い充電する方法を行なった。また、使用時間を長くするため、傘の親骨で八分割し、各分割部分が点滅することで、電力消費を抑えた。【選択図】図１
0003173789.tif 000002
【実用新案登録請求の範囲】
【請求項１】
雨傘及び日傘等のカバー部分にＬＥＤを配置して、傘の手元部分にバッテリーを内蔵した移動式照明装置。
【請求項２】
傘の手元部分を完全防水し、付属された充電器でワイヤレス充電できる請求項１の移動式照明装置。
【請求項３】
傘のカバー部分に配置されＬＥＤは、親骨によって八分割されたカバーごとに点滅することのできる請求項１の移動式照明装置。
【考案の詳細な説明】
【考案の詳細な説明】
【技術分野】
【０００１】ワイヤレス充電器を用いる事の出来きる省電力タイプの移動式照明装置に関するものである。
【背景技術】
【０００２】傘を用いたものでは、石突部分や親骨部分、露先部分にＬＥＤを取り付けたものがあった。これらも手元部分にバッテリーを取り付けたものであった。【０００３】手元部分には、雨が流れ込み漏電の恐れがある。更に、親骨部分にＬＥＤを付けた場合、傘を閉じたとき光量が落ちてしまう。石突部分や露先部分では、照度が小さく少し離れると見にくくなってしまう。
【課題が解決する為の手段】
【０００４】本考案においては、傘のカバー部分の周囲にＬＥＤを配置することで、離れた場所からでも見えやすい状態にできた。
更に、これらＬＥＤを親骨で八分割し、これら分割部分ごとに点滅させること電力の消費を抑えることができた。
【０００５】本考案においては、手元のバッテリー部分を固定し防水できるようにすることで、漏電を防止した。そのために、電磁誘導を用いた専用ワイヤレス充電器を付属した。
【図面の簡単な説明】
【０００６】
【図１】は傘型移動式照明装置の側面図である。
【図２】は上面図である。
【図３】手元部分と充電器である。
【図４】充電器である。本考案による移動式照明装置のカバー部分（Ａ）の周囲にはＬＥＤが配置されている。手元（Ｃ）には、バッテリー（Ｅ）が取り付けられていて、充電器（Ｄ）のＦ部分に差し込むことで、バッテリー（Ｅ）は充電される。また、Ｇ部分で充電器（Ｄ）は壁面などに取り付けが可能で、傘立てとしても使うことができる。
【符号の説明】
【０００７】（Ａ）はカバーである。
（Ｂ）はＬＥＤである。
（Ｃ）は手元である。
（Ｄ）は充電器である。
（Ｅ）はバッテリーである。
（Ｆ）は充電の際、手元を差し込む部分である。
（Ｇ）は充電器を壁面等に設置する穴部分である。
【図１】
0003173789.tif 000003
【図２】
0003173789.tif 000004
【図３】
0003173789.tif 000005
【図４】
0003173789.tif 000006